(57)【要約】【課題】  ブラシアタッチメントの使い勝手が向上した電気掃除機を提供する。【解決手段】  掃除機本体への吸気流路に接続され吸込口５ｅが形成された筒状体先端部５ｂに、一端５ｄが吸込口５ｅ側に来る位置と他端５ｆが吸込口５ｅ側に来る位置とに回動可能に取り付けられるブラシ台５ｇを備え、このブラシ台５ｇの両端５ｄ，５ｆに種類の異なるブラシ５ｈ，５ｉが取り付けられて成るブラシアタッチメント５を備えた。そして、種類の異なるブラシ５ｈ，５ｉを毛足の長さが異なるものとした。【選択図】        図２
2006326131.tif 000002
【特許請求の範囲】
【請求項１】
掃除機本体への吸気流路に接続され吸込口が形成された筒状体先端部に、一端が前記吸込口側に来る位置と他端が前記吸込口側に来る位置とに回動可能に取り付けられるブラシ台を備え、このブラシ台の両端に種類の異なるブラシが取り付けられて成るブラシアタッチメントを備えたことを特徴とする電気掃除機。
【請求項２】
前記種類の異なるブラシは、毛足の長さが異なることを特徴とする請求項１記載の電気掃除機。
【請求項３】
前記ブラシアタッチメントのブラシとして毛足の長いブラシを使用時に、この毛足の長いブラシを通過する吸込風量を制限する風量制限手段を備えたことを特徴とする請求項２記載の電気掃除機
【請求項４】
前記ブラシ台が取り付けられる筒状体先端部をその軸回りに回動可能に構成したことを特徴とする請求項１ないし請求項３のいずれかに記載の電気掃除機。
【請求項５】
取手部にブラシが収納自在に取り付けられ、前記取手部からブラシを通して通気可能に構成されたブラシアタッチメントを備えると共に、掃除機本体への吸気流路連通部に前記ブラシを収納した取手部をブラシ側から差し込むブラシ差込口を形成したことを特徴とする電気掃除機。
【請求項６】
前記取手部は、前記ブラシを収納した状態では取手部からブラシへの通気流路が遮断されるように構成されて成ることを特徴とする請求項５記載の電気掃除機。
【発明の詳細な説明】
【技術分野】
【０００１】
本願発明は、ブラシアタッチメントを備えた電気掃除機に関するものである。
【背景技術】
【０００２】
従来より、部屋のコーナー部分や障子の桟や窓のサッシなどを掃除するためのブラシアタッチメントを備えた電気掃除機が知られている（例えば、特許文献１参照）。
【０００３】
特許文献１に開示された電気掃除機は、ホースグリップ部の接続部先端にブラシアタッチメントを回動自在に枢支し、このブラシアタッチメントを、一端がホースグリップ部の接続部に連なり且つブラシが植毛された他端がホースグリップ部から離間する方向に延設される位置と、ホースグリップ部の接続部の下面側に回動した位置との間を回動自在に形成したものである。
【特許文献１】特開２０００−７９０８２号公報
【発明の開示】
【発明が解決しようとする課題】
【０００４】
しかしながら、上述したような従来の電気掃除機のブラシアタッチメントには、一種類のブラシしか植毛されていなかった。従って、被掃除箇所によってはブラシの種類が適さない場合があり、使い勝手に課題があった。
【０００５】
例えば、毛足の短いブラシの場合は硬さもあるので、窓のサッシなどに付着した埃なども掻き取ることができて便利であるが、深い隙間や傷付きやすいところには適さない。逆に毛足の長いブラシの場合は柔らかさもあるので、深い隙間や傷付きやすいところの掃除に便利であるが、窓のサッシなどに付着した埃などを掻き取るには適さない。
【０００６】
なお、被掃除個所に適したブラシが植毛されたブラシアタッチメントを複数種備えることも考えられるが、掃除中に被掃除箇所に応じていちいち掃除を中断して付け替えなければならないので容易でなく、決して使い勝手が良いとは言えない。
【０００７】
一方、近年、パソコンなどのＯＡ機器用のブラシとして、柔らかな静電ブラシなどを備えたＯＡブラシと呼ばれるものが普及してきているが、柔らかな静電ブラシなどに付着した塵埃の除塵が容易でなく、使い勝手に課題があった。
【０００８】
そこで、本願発明はこのような課題を解決するためになされたものであり、ブラシアタッチメントの使い勝手が向上した電気掃除機を提供することを目的とするものである。
【０００９】
具体的には、被掃除箇所に応じて、より適したブラシに容易に切り替えることができるブラシアタッチメントを備えた電気掃除機を提供することを目的とするものである。
【００１０】
また、ブラシに付着した塵埃の除塵が容易な電気掃除機を提供することを目的とするものである。
【課題を解決するための手段】
【００１１】
上記のような目的を達成するために、本願発明は、掃除機本体への吸気流路に接続され吸込口が形成された筒状体先端部に、一端が前記吸込口側に来る位置と他端が前記吸込口側に来る位置とに回動可能に取り付けられるブラシ台を備え、このブラシ台の両端に種類の異なるブラシが取り付けられて成るブラシアタッチメントを備えたことを特徴とするものである。
【００１２】
そして、前記種類の異なるブラシは、毛足の長さが異なることを特徴とするものである。
【００１３】
さらに、前記ブラシアタッチメントのブラシとして毛足の長いブラシを使用時に、この毛足の長いブラシを通過する吸込風量を制限する風量制限手段を備えたことを特徴とするものである。
【００１４】
また、前記ブラシ台が取り付けられる筒状体先端部をその軸回りに回動可能に構成したことを特徴とするものである。
【００１５】
一方、取手部にブラシが収納自在に取り付けられ、前記取手部からブラシを通して通気可能に構成されたブラシアタッチメントを備えると共に、掃除機本体への吸気流路連通部に前記ブラシを収納した取手部をブラシ側から差し込むブラシ差込口を形成したことを特徴とするものである。
【００１６】
さらに、前記取手部は、前記ブラシを収納した状態では取手部からブラシへの通気流路が遮断されるように構成されて成ることを特徴とするものである。
【発明の効果】
【００１７】
本願発明によれば、一端が吸込口側に来る位置と他端が吸込口側に来る位置とに回動可能に取り付けられるブラシ台の両端に種類の異なるブラシが取り付けられて成るブラシアタッチメントを備えたことにより、被掃除箇所に応じて、より適したブラシに容易に切り替えることができ、使い勝手が向上する。
【００１８】
そして、前記種類の異なるブラシを毛足の長さが異なるものとしたことにより、毛足の短いブラシの場合は硬さもあるので、窓のサッシなどに付着した埃なども掻き取ることができて便利であり、毛足の長いブラシの場合は柔らかさもあるので、深い隙間や傷付きやすいところの掃除に便利である。
【００１９】
さらに、ブラシアタッチメントのブラシとして毛足の長いブラシを使用時に、この毛足の長いブラシを通過する吸込風量を制限する風量制限手段を備えたことにより、毛足が長くて柔らかなブラシを使用する場合にブラシが吸込口に吸い込まれるのを防ぐことができる。
【００２０】
また、ブラシ台が取り付けられる筒状体先端部をその軸回りに回動可能に構成したことにより、ブラシの種類を切り替えたときにブラシの毛先が被掃除面に対して逆になっても容易に直すことができる。
【００２１】
一方、取手部にブラシが収納自在に取り付けられ、取手部からブラシを通して通気可能に構成されたブラシアタッチメントを備えると共に、掃除機本体への吸気流路連通部に前記ブラシを収納した取手部をブラシ側から差し込むブラシ差込口を形成したことにより、ブラシを収納した取手部をブラシ側からブラシ差込口に差し込んでからブラシを出して吸引をかけることにより、ブラシ差込口にブラシを差し込む際の毛挟み込みを防止すると共に、ブラシ毛の隙間に塵埃の付着方向とは逆の吸引風が流れて容易に除塵することができる。
【００２２】
さらに、前記取手部は、ブラシを収納した状態では取手部からブラシへの通気流路が遮断されるように構成されて成るものであるから、ブラシ差込口にブラシを差し込んだ状態のままで、除塵をしない時には取手部にブラシを収納した状態とすることにより、ブラシの取手部がブラシ差込口の蓋となって密封するため、掃除機本来の吸い込み性能が低下することはない。
【発明を実施するための最良の形態】
【００２３】
以下、本願発明の実施形態を図面を参照して詳細に説明する。
【００２４】
図１は、本願発明が適用される一実施形態としてキャニスタータイプ（床移動型）の電気掃除機の全体構成を示す側面図、図２はそのブラシアタッチメントとしてのダブルブラシアタッチメントの構成及び作用を示す側断面図、図３は同じく静電ブラシアタッチメントの構成及び作用を示す側面図と側断面図である。
【００２５】
本実施形態の電気掃除機は、図１に示すように、キャニスタータイプの掃除機本体１と、この掃除機本体１に接続される可撓性ホース２と、この可撓性ホース２に接続される延長管３ａ，３ｂと、延長管３ｂに接続される床用吸込具４とから構成され、ブラシアタッチメントとしては、図２に示すダブルブラシアタッチメント５と図３に示す静電ブラシアタッチメント６が備えられている。
【００２６】
掃除機本体１内には、可撓性ホース２が接続されるホース差込口１ａに連通する前部側に集塵室が形成され、その後部側に電動送風機が収納される電動送風機収納室等が形成されている（いずれも図示せず）。
【００２７】
上記ホース差込口１ａに一端側のホースジョイント部２ａが接続される可撓性ホース２の他端側には、強，中，弱などの運転ノッチの切替スイッチや電源の切スイッチ等が備えられた手元操作部を有するホースグリップ部２ｂが取り付けられており、このホースグリップ部２ｂの筒状体先端部２ｃには、そのままでも吸込口になると共に、延長管３ａ，３ｂや図２に示すダブルブラシアタッチメント５が接続可能な接続口２ｄが形成されている。
【００２８】
各延長管３ａ，３ｂの先端部３ｃにも、そのままでも吸込口になると共に、他方の延長管３ａ，３ｂや床用吸込具４や図２に示すダブルブラシアタッチメント５が接続可能な接続口３ｄが形成されている。
【００２９】
床用吸込具４には、被掃除面に近接する下面に吸込口が形成されており、通常、この吸込口に臨ませた回転ブラシが内蔵されている。
【００３０】
上記のように接続することにより、可撓性ホース２や延長管３ａ，３ｂや床用吸込具４等に掃除機本体１への吸気流路が形成され、掃除機本体１内の電動送風機を駆動することにより、使用する吸込口から塵埃を吸い込むことができる。
【００３１】
また、本実施形態においては、図１においてホースグリップ部２ｂ側に接続された延長管３ａの中程に、略Ｌ字状の吸気流路連通部７が形成され、この吸気流路連通部７に図３に示すような構成の静電ブラシアタッチメント６を差し込むためのブラシ差込口７ａが形成されている。
【００３２】
一方、図２に示すように、本実施形態のダブルブラシアタッチメント５は、前述したホースグリップ部２ｂの接続口２ｄや延長管３ａ，３ｂの接続口３ｄに接続可能な円筒状の筒状体５ａの先端部５ｂに、支軸５ｃによって図２（ａ）に示すように一端５ｄが吸込口５ｅ側に来る位置と図２（ｂ）に示すように他端５ｆが吸込口５ｅ側に来る位置とに回動可能に取り付けられたブラシ台５ｇが備えられている。このブラシ台５ｇは、筒状体先端部５ｂの外周を跨ぐように略Ｕ字状に形成されており、筒状体先端部５ｂとの摩擦力や係止部等により図２（ａ）と図２（ｂ）の状態に固定可能になっている。そして、このブラシ台５ｇの両端５ｄ，５ｆに、種類の異なるブラシとして毛足の長さが長いブラシ５ｈと短いブラシ５ｉが植毛されている。
【００３３】
さらに、図２（ａ）に示すように、ダブルブラシアタッチメント５のブラシとして毛足の長いブラシ５ｈを使用時に、この毛足の長いブラシ５ｈを通過する吸込風量を制限する風量制限手段として、ブラシ台５ｇの内側から吸込口５ｅの略半分を遮る如く遮蔽壁５ｊが延設されている。この遮蔽壁５ｊで遮られる吸込口部分は図示のように斜めにカットされているので、遮蔽壁５ｊで塞がれることはなく、従って、吸込風速が速くなることなく、毛足の長いブラシ５ｈを通過する吸込風量が略半分に低減される。これにより、毛足が長くて柔らかなブラシ５ｈを使用する場合にブラシ５ｈが吸込口５ｅに吸い込まれるのを防ぐことができる。
【００３４】
また、ブラシ台５ｇが取り付けられる筒状体先端部５ｂは、別体の基部５ｋ側に形成された爪部５ｍが先端部５ｂ側に形成された小径部５ｎに圧入嵌合することにより、軸回りに回動可能に構成されている。これにより、図２（ａ）から（ｂ）に示すようにブラシの種類を切り替えたときにブラシ５ｉの毛先が被掃除面に対して逆になっても容易に直すことができる。
【００３５】
また、上記筒状体先端部５ｂは吸込口５ｅ側に向かって径が漸次大きくなるように形成されているので、図２（ｂ）の状態にすれば、吸込口５ｅを接続口として延長管３ａ，３ｂや床用吸込口４を接続することも可能となっている。
【００３６】
一方、図３に示すように、本実施形態による静電ブラシアタッチメント６は、段付きの筒状ブラシ台６ａの大径部６ｂ側に露出するように柔らかな静電ブラシ６ｃが取り付けられ、この静電ブラシ６ｃを有する段付き筒状ブラシ台６ａは、それを内包する形状で大径部６ｄが静電ブラシ６ｃまで収納可能な長さに形成された取手部６ｅ内に摺動自在に収納されている。
【００３７】
上記段付き筒状ブラシ台６ａの小径部６ｆの側端部には操作用突部６ｇが形成され、取手部６ｅの小径部６ｈにはほぼ全長に渡って上記操作用突部６ｇが外側に露出する長孔６ｉが形成されている。上記操作用突部６ｇは静電ブラシ６ｃの出し入れを操作する機能と共に、取手部６ｅ内からの筒状ブラシ台６ａの抜け止め機能も有している。
【００３８】
さらに、上記筒状ブラシ台６ａの底部には通気口６ｊが形成されており、図３（ｄ）に示すように、静電ブラシ６ｃを取手部６ｅから露出させた状態では、取手部６ｅの長孔６ｉから上記通気口６ｊを介して静電ブラシ６ｃを通した通気が可能となるように構成されている。また、上記通気口６ｊの外周部にはリング状のシール部材６ｋが取り付けられており、図３（ｂ）に示すように静電ブラシ６ｃを取手部６ｅ内に収納した状態では上記シール部材６ｋが取手部６ｅの底部６ｍと密着して、取手部６ｅの長孔６ｉから静電ブラシ６ｃへの通気流路が遮断されるように構成されている。
【００３９】
一方、図１，図４，図５等に示すように、延長管３ａの吸気流路連通部７に形成されて上記静電ブラシアタッチメント６が差し込まれるブラシ差込口７ａは、長円筒状の取手部６ｅ内に静電ブラシ６ｃを収納した状態でその大径部６ｄが摺動自在に差し込める大きさで、操作用突部６ｇより前部側が収まる深さに形成されている。ブラシ差込口７ａの最奥部には、取手部６ｅの大径部６ｄの前端縁が密着する小径部７ｂが形成されている。また、操作用突部６ｇを延長管３ａ側に向けて差し込んだ状態で操作用突部６ａを操作できるように、延長管３ａ側の差込口７ａ開口縁には略Ｕ字状の切欠き７ｃが形成されている。
【００４０】
なお、上記静電ブラシアタッチメント６を使わない通常吸引時には、図７に示すように、当該静電ブラシアタッチメント６をその操作用突部６ｇが延長管３ａとは反対側，すなわち上記切欠き７ｃの反対側に向けてブラシ差込口７ａに差し込んでおく。こうすると、取手部６ｅの大径部６ｄ前端縁がブラシ差込口７ａの最奥の小径部７ｂに密着すると共に、ブラシ台６ａ底部の通気口６ｊ外周部に取り付けられたシール部材６ｋが取手部６ｅの底部６ｍと密着して、取手部６ｅの長孔６ｉから静電ブラシ６ｃへの通気流路が遮断される。これにより、取手部６ｅがブラシ差込口７ａの蓋となってブラシ差込口７ａを密封するようになっている。
【００４１】
以上の構成において、図１の状態で掃除中に、図２に示したダブルブラシアタッチメント５を使用する場合には、ダブルブラシアタッチメント５を装着しようとするホースジョイント部２ｂの接続口２ｄあるいは延長管３ａ、３ｂの接続口３ｄから先を取り外して、そこにダブルブラシアタッチメント５を装着する。そして、被掃除箇所に適したブラシ５ｈ又は５ｉを選択する。
【００４２】
すなわち、深い隙間や傷付きやすいところを掃除する場合は、図２（ａ）に示す状態にして毛足の長いブラシ５ｈを選択する。毛足の長いブラシ５ｈは柔らかさもあるので、吸込口５ｅに吸い込まれやすくなるが、吸込口５ｅの斜めにカットされた略半分がブラシ台５ｇの内側から延設された遮蔽壁５ｊで遮られているので、吸込風速が速くなることなく、毛足の長いブラシ５ｈを通過する吸込風量が略半分に低減される。これにより、毛足が長くて柔らかなブラシ５ｈを使用する場合に当該ブラシ５ｈが吸込口５ｅに吸い込まれるのを防ぐことができる。
【００４３】
また、窓のサッシなどに付着した埃を掻き取るように掃除したい場合は、図２（ａ）の状態からブラシ台５ｇを下側に回動して図２（ｂ）のように毛足の短いブラシ５ｉになるように切り替える。このとき、図２（ｂ）に示すようにブラシ５ｉの毛先が被掃除面に対して逆になっても、ブラシ台５ｇが取り付けられた筒状体先端部５ｄは基部５ｋに対して回動可能に構成されているので、図２（ａ）と同様な状態に容易に直すことができる。
【００４４】
以上のように、毛足の短いブラシ５ｉの場合は硬さもあるので、窓のサッシなどに付着した埃なども掻き取ることができて便利であり、また毛足の長いブラシ５ｈの場合は柔らかさもあるので、深い隙間や傷付きやすいところの掃除に便利である。このように、被掃除箇所に応じて、より適したブラシ５ｈ，５ｉに容易に切り替えることができるので、使い勝手が格段に向上する。
【００４５】
一方、パソコンなどのＯＡ機器に静電気等により付着した塵埃を掃除するときには、延長管３ａのブラシ差込口７ａに差し込まれている静電ブラシアタッチメント６を使用する。前述したように、通常吸引時には、掃除機本来の吸い込み性能が低下するのを防ぐため、図１，図７に示すように静電ブラシ６ｃを取手部６ｅ内に収納した状態にして取手部６ｅがブラシ差込口７ａの蓋となって密封するように差し込まれている。従って、静電ブラシアタッチメント６をブラシ差込口７ａから取り外した後、操作用突部６ｇをスライドして図３（ｃ），（ｄ）に示すように静電ブラシ６ｃを取手部６ｅの大径部６ｄから露出させて、パソコンの画面等に静電気等により付着した埃を静電ブラシ６ｃで拭き取る。
【００４６】
静電ブラシアタッチメント６による掃除が終了したら、操作用突部６ｇをスライドして静電ブラシ６ｃを取手部６ｅ内に収納してから、図５又は図７に示すように延長管３ａのブラシ差込口７ａに取手部６ｅの大径部６ｄ側から差し込む。このようにすることにより、静電ブラシアタッチメント６をブラシ差込口７ａに差し込む際の毛挟み込みを防止することができる。
【００４７】
なお、静電ブラシ６ｃに塵埃が余り付着してなく静電ブラシ６ｃの清掃が必要ないときには、図７に示した通常吸引時のように操作用突部６ｇが延長管３ａとは反対側，すなわち切欠き７ｃの反対側に向けてブラシ差込口７ａに差し込んでよいが、清掃が必要なときは図５に示したように操作用突部６ｇが延長管３ａ側（切欠き７ｃ側）に向くように差し込む。
【００４８】
そして、図６に示すように操作用突部６ｇをスライドして静電ブラシ６ｃを取手部６ｅの大径部６ｄから空気流路連通部７内に露出させる。この状態で、掃除機本体１の電動送風機を駆動して、しばらくの間、掃除等をすれば、図６に矢印で示すような吸引風が流れる。これにより、静電ブラシ６ｃのブラシ毛の隙間に塵埃の付着方向とは逆の吸引風が流れて容易に除塵することができる。
【００４９】
この静電ブラシ６ｃの除塵が済んだら、静電ブラシアタッチメント６をブラシ差込口７ａから一旦取り外して、図７に示すように操作用突部６ｇを延長管３ａとは反対側（切欠き７ｃの反対側）に向けて前記と同様にしてブラシ差込口７ａに差し込む。この状態では、前述したように静電ブラシ６ｃの取手部６ｅがブラシ差込口７ａの蓋となって密封するため、掃除機本来の吸い込み性能が低下することはなく通常の掃除を行うことができる。また、操作用突部６ｇはブラシ差込口７ａの切欠き７ｃが無い側の開口縁により移動が規制されているので、掃除中に誤って手が触れて移動したり、吸引力により移動するのを防ぐことができる。
【００５０】
なお、上記実施形態では、ホースグリップ部２ｂや延長管３ａ，３ｂとは別体の筒状体５ａの先端部５ｂに、毛足の長さが異なるブラシ５ｈ，５ｉが両端に植毛されたブラシ台５ｇを回動可能に取り付けたが、ホースグリップ部２ｂや延長管３ａ，３ｂの先端部２ｃ，３ｃにブラシ台の両端に種類の異なるブラシが植毛されたブラシアタッチメントを回動可能に取り付けるようにしてもよい。このようにすれば、ブラシアタッチメントの収納スペースが不要となると共に、付け替えも不要となって、使い勝手が更に向上する。
【００５１】
また、種類の異なるブラシとして毛足の長さが異なるブラシ５ｈ，５ｉを備えたが、これに限らず被掃除箇所に適したブラシの各種の組み合わせが考えられる。
【００５２】
また、上記実施形態では、本願発明をキャニスタータイプ（床移動型）の電気掃除機に適用した場合について説明したが、本願発明はこれに限らず、アップライトタイプ（縦型）やハンディタイプ（携帯型）等の各種の電気掃除機に適用可能である。
【図面の簡単な説明】
【００５３】
【図１】本願発明が適用される一実施形態としてキャニスタータイプの電気掃除機の全体構成を示す側面図。
【図２】そのブラシアタッチメントとしてのダブルブラシアタッチメントの構成及び作用を示す図で、（ａ）は毛足の長いブラシが選択された状態を示す側断面図、（ｂ）は毛足の短いブラシが選択された状態を示す側断面図。
【図３】同じく静電ブラシアタッチメントの構成及び作用を示す図で、（ａ）は取手部内に静電ブラシを収納した状態を示す側面図、（ｂ）はその側断面図、（ｃ）は取手部内から静電ブラシを露出させた状態を示す側面図、（ｄ）はその側断面図。
【図４】上記実施形態における吸気流路連通部の構成を示す図で、（ａ）は平面図、（ｂ）はブラシ差込口から見た図、（ｃ）は側断面図。
【図５】上記静電ブラシアタッチメントの除塵時におけるブラシ差込時を示す図で、（ａ）は側断面図、（ｂ）はブラシ差込口側から見た図。
【図６】同じく上記静電ブラシアタッチメントの除塵時におけるブラシ露出時を示す図で、（ａ）は側断面図、（ｂ）はブラシ差込口側から見た図。
【図７】通常吸引時における上記静電ブラシアタッチメントのブラシ差込口への装着状態を示す図で、（ａ）は側断面図、（ｂ）はブラシ差込口側から見た図。
【符号の説明】
【００５４】
１  掃除機本体
２  可撓性ホース
２ｂ  ホースグリップ部
２ｃ  先端部
２ｄ  接続口
３ａ，３ｂ  延長管
３ｃ  先端部
３ｄ  接続口
４  床用吸込具
５  ダブルブラシアタッチメント
５ａ  筒状体
５ｂ  先端部
５ｃ  支軸
５ｄ  一端
５ｅ  吸込口
５ｆ  他端
５ｇ  ブラシ台
５ｈ  毛足の長いブラシ
５ｉ  毛足の短いブラシ
５ｊ  遮蔽壁
５ｋ  基部
５ｍ  爪部
５ｎ  小径部
６  静電ブラシアタッチメント
６ａ  筒状ブラシ台
６ｂ  大径部
６ｃ  静電ブラシ
６ｄ  大径部
６ｅ  取手部
６ｆ  小径部
６ｇ  操作用突部
６ｈ  小径部
６ｉ  長孔
６ｊ  通気口
６ｋ  シール部材
６ｍ  底部
７  吸気流路連通部
７ａ  ブラシ差込口
７ｂ  小径部
７ｃ  切欠き
【図１】
2006326131.tif 000003
【図２】
2006326131.tif 000004
【図３】
2006326131.tif 000005
【図４】
2006326131.tif 000006
【図５】
2006326131.tif 000007
【図６】
2006326131.tif 000008
【図７】
2006326131.tif 000009